(57)【特許請求の範囲】
【請求項１】
コンクリート打設前の仮の床（８）上に設置されたコンクリート補強金属線（７）の下部と仮の床（８）上の隙間に先端部分を差し込むように押し込んでコンクリート補強金属線（７）を浮かし上げながらその下方に装着して支持するコンクリート補強金属線支持スペーサー（１）であって、側面視がクサビ型形状の支持台（２）と、支持台（２）の一端側の頂上部分に設けられたコンクリート補強金属線（７）を係合させる係合部（３，５）と、支持台（２）の傾斜部に凹凸状に設けられたコンクリート補強金属線（７）の滑り止め部（６）を備えていることを特徴とするコンクリート補強金属線支持スペーサー。
【請求項２】
係合部（３）の形状は、側面視が壺型形状で、平面視が支持台（２）の長手方向に直交する横溝で上部開口部がコンクリート補強金属線（７）の線径より若干小さく、係合したコンクリート補強金属線（７）が外れることなく固定出来るように形成されている請求項１記載のコンクリート補強金属線支持スペーサー。
【請求項３】
係合部（５）の形状は、側面視が支持台（２）の上方に突出し先端部が前方に屈曲し、コンクリート補強金属線（７）を係合部（５）の下面と支持台（２）の上面との間に挟み込んで固定出来るように形成されている請求項１記載のコンクリート補強金属線支持スペーサー。
【請求項４】
支持台（２）の下部先端にはコンクリート補強金属線（７）の下部と仮の床（８）上の隙間に差し込む差し込み部（４）が前方に突出して設けられている請求項１，２又は３記載コンクリート補強金属線支持スペーサー。
【発明の詳細な説明】
【０００１】
【発明の属する技術分野】
この発明は、主に建築においてコンクリート打設前に、コンクリート補強用として使用されるワイヤーメッシュ筋（溶接金網）及び鉄筋等の補強金属線を床上に必要寸法おいて支持し、コンクリートのかぶりを確保するために使用するコンクリート補強金属線支持スペーサーに関するものである。
【０００２】
【従来の技術】
以下、ワイヤーメッシュ筋（溶接金網）を主題とし、溶接金網と称して述べる。従来、溶接金網において、コンクリート呑込み部分を設ける為、床上と溶接金網の間にスペーサーを用いる。スペーサーの設置方法は、溶接金網筋施行前と、施行後に設置する二通り方法があり、用いられる溶接金網は金属線で、線径は主として直径６ミリ、一辺が７．５ｃｍ・１０ｃｍ・１５ｃｍ角との三種類が一般的に用いられて、大きさも１ｍ×２ｍ，２ｍ×４ｍが有る。まず、仮床面に溶接金網を敷詰めた後にスペーサーを設置する方法だと、一枚一枚の溶接金網のそれぞれが結束され一体化された状態で、床上全面に設置されていて、その状態にてスペーサーの高さ分ほど上にテコ、又は手で溶接金網を持ち上げ床と溶接金網筋の間にスペーサーを設置していくのだが、溶接金網を上に浮かし上げる場合、溶接金網筋を踏まない様にして持ち上げなくてはならないが、一角が（７．５・１０・１５）ｃｍ角と共に狭い為、一角内をつま先で床に立っての作業となり、バランスも悪く溶接金網も結束され重量がある為、手での持ち上げは困難で、一般的にテコ棒等で溶接金網を浮かし上げてスペーサーを設置しているのだが、１ｍ２以内に約１個づつと決められていて、数も多く長時間の作業となりたいへんな重労働となる。又、近年テコ機能を備え持ったスペーサーも見受けられる。
【０００３】
【発明が解決しょうとする課題】
そこで、そのように手間取る事なく簡単に、テコ等を使用して持ち上げることなくコンクリート補強金属線を踏んだままでも確実に、しかも結束することなく装着できないものかと、発明されたものである。
【０００４】
【課題を解決するための手段】
上記目的を達成するために、側面視すればクサビ型形状に形成された支持台と、その一端側の頂上部分ににコンクリート補強金属線を係合させる係合部と、反対側の傾斜部の下部先端に前方に突出て設けられた差し込み部とを設けて、コンクリート打設前の仮の床上に設置されたコンクリート補強金属線の下部と床上の隙間に、差し込み部を差し込んで支持台後方より押すように力を加えて行けば、僅かな力で溶接金網を浮かし上げて係合部に固定する事が出来る。
【０００５】
クサビ型形状に形成されたスペーサーは、その形状ゆえに、途中で押し込む力が加わらなくなると溶接金網等の荷重により、押し戻されるように元の位置まで戻ってしまう事が考えられる。その対策として、傾斜部に凹凸状の滑り止め部を設けてもよい。
【０００６】
テコ棒等の工具を使用する方法として、傾斜部に窪み状のテコ棒等の係合部を設けて、係合部が溶接金網から出るところまで支持台を押し込んで、係合部にテコ棒等を係合させて作用点とし、溶接金網とテコ棒等の工具が接する部分を支点とし、テコ棒等の工具をスペーサーの後方へ倒すように力を加えてやるようにすればテコの原理で、さらに僅かな力で装着する事が出来る。
【０００７】
【発明の実施の形態】
実施の形態を実施例にもとづき図面を参照して説明する。
第１実施例、図１より、側面視すればクサビ型形状にプラスチック樹脂等で一体形成された支持台２と、その一端側の頂上部分に支持台２の長手方向と水平に直交するように横方向へ溝を掘り込んで、上面入り口の開口部寸法を溶接金網７の外径寸法より若干小さくした、側面視すれば壺型形状に形成されて、溶接金網７を係合することの出来る係合部３を設けて、落ち込むように係合した溶接金網７が外れないように固定出来るようにして、反対側の傾斜部の下部先端に前方に突出て設けられた差し込み部４を設けた。
【０００８】
さらに、溶接金網７等の荷重により、押し戻されることのないようにと、傾斜面に階段状の凹凸を設けて滑り止め部６とした。
【０００９】
第２実施例、図２より他の係合方法として、側面視すれば支持台２の上方に突出して、先端部を前方に屈曲して設けて溶接金網をその下面と、支持台２の上面との間に挟み込むように係合して外れないように固定するようにした係合部５を設けた。やはり、入り口部分の開口部寸法を溶接金網７の外径寸法より若干小さくした。
【００１０】
第３実施例、図３より、テコ棒９等の工具を使用する方法として、傾斜部に窪み状のテコ棒等の工具の係合部１０を複数個設けて、その係合部１０が溶接金網７から出るところまで支持台２を押し込んで、係合部１０にテコ棒９等を係合させて作用点とし、溶接金網７とテコ棒９等の工具が接する部分を支点とし、テコ棒９等の工具を支持台２の後方、係合部３側へ倒すように力を加えてやるようにすればテコの原理で、さらに僅かな力で装着する事が出来る。
【００１１】
本発明の第１実施例の実施の形態を展開図において説明する。図４、差し込み部４を溶接金網７と、仮床８の隙間に差し込み、図５，そのまま押し込んで行き、図６、溶接金網７が壺型形状の係合部３の上方にくると、溶接金網７等の荷重により落ち込むように入り込み壺型形状の係合部３に係合して外れるこてなく固定される。
【００１２】
【発明の効果】
スペーサー自体の形状を、クサビ型に形成して傾斜部に滑り止め部を設けたことにより、僅かな力で溶接金網と仮床との隙間を、溶接金網を浮かし上げるように押し進んで溶接金網等の荷重により押し戻されることなく、溶接金網や他の作業員等の荷重により自動的に係合部に係合して固定される。さらに、傾斜部に設けた窪み状のテコ棒等の係合部に、テコ棒等の工具を係合して使用すれば、他の作業員や建設資材等の過大な荷重の状況においても装着可能である。従来工法の様に、溶接金網の一角内につま先で立ち、テコ棒または手等で持ち上げるという重労働から開放され、工期短縮にもつながる。
【図面の簡単な説明】
【図１】  本発明の第１実施の形態を示す斜視図。
【図２】  本発明の第２実施より、溶接金網の他の係合方法を示す形態の側面図である。
【図３】  本発明の第３実施より、テコ棒等の工具を使用しての溶接金網への装着方法を示す形態の側面図である。
【図４，５，６】  本発明の第１実施の、溶接金網への装着方法を示す形態の側面展開図である。
【符号の説明】
１  スペーサー  ２  支持台  ３  壺型形状の係合部  ４  差し込み部
５  挟み込むようにした係合部  ６  階段状の滑り止め部  ７  溶接金網（コンクリート補強金属線）  ８  コンクリート打設前の仮の床  ９  テコ棒（工具）
１０  テコ棒（工具）等を係合する係合部    １１  スペーサーの進行方向を示す  １２  テコ棒（工具）等の力を加える方向を示す
【図１】
0004317917.tif 000002
【図２】
0004317917.tif 000003
【図３】
0004317917.tif 000004
【図４】
0004317917.tif 000005
【図５】
0004317917.tif 000006
【図６】
0004317917.tif 000007